【手続補正書】
【提出日】令和3年9月9日(2021.9.9)
【手続補正１】
【補正対象書類名】特許請求の範囲
【補正対象項目名】全文
【補正方法】変更
【補正の内容】
【特許請求の範囲】
【請求項１】
決済対象となる取引に関して電子レシートサービスを適用することを決定する第２の決定手段と、
前記第２の決定手段により前記電子レシートサービスを適用することが決定されていない場合に、表示オブジェクトを予め定められたフォームで表した販促レシート画像をプリントするようにプリンタを制御する制御手段と、
前記第２の決定手段により前記電子レシートサービスを適用することが決定されている場合に、前記表示オブジェクトを前記電子レシートサービスの利用者を識別する利用者コードとともに含む販促レシートデータを販促レシートサーバへ出力する第１の出力手段と、
前記第１の出力手段により出力された前記販促レシートデータが表す前記表示オブジェクトを予め定められたフォームで表した販促レシート画面を情報端末で表示させるための画面データを生成する生成手段と、
前記生成手段により生成された前記画面データを、前記利用者コードで識別される利用者が使用する前記情報端末へと出力する第２の出力手段と、
を具備する電子レシートシステム。
【請求項２】
前記生成手段は、前記販促レシートデータが表す前記表示オブジェクトに光学的に読み取り可能なコードシンボルを含む場合に、当該コードシンボルの前記販促レシート画面における表示形態を前記販促レシート画像とは異ならせて前記画面データを生成する、
請求項１に記載の電子レシートシステム。
【請求項３】
個別販促のために予め定められた発行条件が成立する場合に、複数の販促レシートのうちのどの販促レシートを発行するかを決定する第１の決定手段、をさらに備え、
前記第１の出力手段は、前記販促レシートデータ及び前記利用者コードの他に、前記第１の決定手段により発行すると決定された前記販促レシートに適用されるフォームを識別するためのフォームコードを前記販促レシートサーバへ出力し、
前記生成手段は、予め定められた複数の前記フォームのうちで、前記第１の出力手段により出力された前記フォームコードで識別される前記フォームで前記画面データを生成する、
請求項１又は請求項２に記載の電子レシートシステム。
【請求項４】
前記第２の決定手段は、決済対象となる取引の内容を登録する際に前記電子レシートサービスの会員コードが取得されている場合に、当該決済対象となる取引について前記電子レシートサービスを適用することを決定する、
請求項１−請求項３のいずれか一項に記載の電子レシートシステム。
【請求項５】
販促レシートデータが表す表示オブジェクトを予め定められたフォームで表した販促レシート画面を情報端末で表示させるための画面データを生成する生成手段と、
前記生成手段により生成された前記画面データを、利用者コードで識別される利用者が使用する前記情報端末へと出力する第２の出力手段と、
を具備する電子レシートシステムで用いられる決済装置であって、
決済対象となる取引に関して電子レシートサービスを適用することを決定する第２の決定手段と、
前記第２の決定手段により前記電子レシートサービスを適用することが決定されていない場合に、前記表示オブジェクトを予め定められたフォームで表した販促レシート画像をプリントするようにプリンタを制御する制御手段と、
前記第２の決定手段により前記電子レシートサービスを適用することが決定されている場合に、前記表示オブジェクトを前記電子レシートサービスの利用者を識別する利用者コードとともに含む販促レシートデータを販促レシートサーバへ出力する第１の出力手段と、
を具備した決済装置。
【請求項６】
決済対象となる取引に関して電子レシートサービスを適用することを決定する第２の決定手段と、
前記第２の決定手段により前記電子レシートサービスを適用することが決定されていない場合に、表示オブジェクトを予め定められたフォームで表した販促レシート画像をプリントするようにプリンタを制御する制御手段と、
前記第２の決定手段により前記電子レシートサービスを適用することが決定されている場合に、前記表示オブジェクトを前記電子レシートサービスの利用者を識別する利用者コードとともに含む販促レシートデータを販促レシートサーバへ出力する第１の出力手段と、
を具備した電子レシートシステムで用いられる販促レシートサーバであって、
前記第１の出力手段により出力された前記販促レシートデータが表す前記表示オブジェクトを予め定められた前記フォームで表した販促レシート画面を情報端末で表示させるための画面データを生成する生成手段と、
前記生成手段により生成された前記画面データを、前記利用者コードで識別される利用者が使用する前記情報端末へと出力する第２の出力手段と、
を具備する、
販促レシートサーバ。
【請求項７】
販促レシートデータが表す表示オブジェクトを予め定められたフォームで表した販促レシート画面を情報端末で表示させるための画面データを生成する生成手段と、
前記生成手段により生成された前記画面データを、利用者コードで識別される利用者が使用する前記情報端末へと出力する第２の出力手段と、
を具備する電子レシートシステムで用いられる決済装置を制御するコンピュータを、
決済対象となる取引に関して電子レシートサービスを適用することを決定する第２の決定手段と、
前記第２の決定手段により前記電子レシートサービスを適用することが決定されていない場合に、前記表示オブジェクトを予め定められたフォームで表した販促レシート画像をプリントするようにプリンタを制御する制御手段と、
前記第２の決定手段により前記電子レシートサービスを適用することが決定されている場合に、前記表示オブジェクトを前記電子レシートサービスの利用者を識別する利用者コードとともに含む販促レシートデータを販促レシートサーバへ出力する第１の出力手段と、
して機能させるための情報処理プログラム。
【請求項８】
決済対象となる取引に関して電子レシートサービスを適用することを決定する第２の決定手段と、
前記第２の決定手段により前記電子レシートサービスを適用することが決定されていない場合に、表示オブジェクトを予め定められたフォームで表した販促レシート画像をプリントするようにプリンタを制御する制御手段と、
前記第２の決定手段により前記電子レシートサービスを適用することが決定されている場合に、前記表示オブジェクトを前記電子レシートサービスの利用者を識別する利用者コードとともに含む販促レシートデータを販促レシートサーバへ出力する第１の出力手段と、
を具備した電子レシートシステムで用いられる販促レシートサーバを制御するコンピュータを、
前記第１の出力手段により出力された前記販促レシートデータが表す前記表示オブジェクトを予め定められた前記フォームで表した販促レシート画面を情報端末で表示させるための画面データを生成する生成手段と、
前記生成手段により生成された前記画面データを、前記利用者コードで識別される利用者が使用する前記情報端末へと出力する第２の出力手段と、
して機能させるための情報処理プログラム。
【手続補正２】
【補正対象書類名】明細書
【補正対象項目名】０００５
【補正方法】変更
【補正の内容】
【０００５】
実施形態の電子レシートシステムは、第２の決定手段、制御手段及び第１の出力手段、生成手段及び第２の出力手段を備える。第２の決定手段は、決済対象となる取引に関して電子レシートサービスを適用することを決定する。制御手段は、第２の決定手段により電子レシートサービスを適用することが決定されていない場合に、表示オブジェクトを予め定められたフォームで表した販促レシート画像をプリントするようにプリンタを制御する。第１の出力手段は、第２の決定手段により電子レシートサービスを適用することが決定されている場合に、表示オブジェクトを電子レシートサービスの利用者を識別する利用者コードとともに含む販促レシートデータを販促レシートサーバへ出力する。生成手段は、第１の出力手段により出力された販促レシートデータが表す表示オブジェクトを予め定められたフォームで表した販促レシート画面を情報端末で表示させるための画面データを生成する。第２の出力手段は、生成手段により生成された画面データを、利用者コードで識別される利用者が使用する情報端末へと出力する。
【手続補正３】
【補正対象書類名】明細書
【補正対象項目名】００９０
【補正方法】変更
【補正の内容】
【００９０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願の当初の特許請求の範囲に記載された発明を付記する。
［付記１］  決済装置と販促レシートサーバとを含み、
前記決済装置は、
個別販促のために予め定められた発行条件が成立する場合に、販促レシートの発行を決定する第１の決定手段と、
決済対象となる取引に関して電子レシートサービスを適用することを決定する第２の決定手段と、
前記第１の決定手段により前記販促レシートを発行することが決定されていて、かつ前記第２の決定手段により前記電子レシートサービスを適用することが決定されていない場合に、複数の表示オブジェクトを予め定められたフォームで表した販促レシート画像をプリントするようにプリンタを制御する制御手段と、
前記第１の決定手段により前記販促レシートを発行することが決定されていて、かつ前記第２の決定手段により前記電子レシートサービスを適用することが決定されている場合に、前記複数の表示オブジェクトを前記電子レシートサービスの利用者を識別する利用者コードとともに表した販促レシートデータを販促レシートサーバへ出力する第１の出力手段と、
を具備し、
前記販促レシートサーバは、
前記第１の出力手段により出力された前記販促レシートデータが表す複数の前記表示オブジェクトを予め定められた前記フォームで表した販促レシート画面を情報端末で表示させるための画面データを生成する生成手段と、
前記生成手段により生成された前記画面データを、前記第１の出力手段により出力された前記利用者コードで識別される利用者が使用する前記情報端末へと出力する第２の出力手段と、
を具備する、
電子レシートシステム。
［付記２］  前記生成手段は、前記販促レシートデータが表す前記表示オブジェクトに光学的に読み取り可能なコードシンボルを含む場合に、当該コードシンボルの前記販促レシート画面における表示形態を前記販促レシート画像とは異ならせて前記画面データを生成する、
付記１に記載の電子レシートシステム。
［付記３］  前記第１の決定手段は、前記発行条件が成立する場合に、複数の販促レシートのうちのどの販促レシートを発行するかを決定し、
前記第１の出力手段は、前記販促レシートデータ及び前記利用者コードの他に、発行すると決定された前記販促レシートに適用されるフォームを識別するためのフォームコードを前記販促レシートサーバへ出力し、
前記生成手段は、予め定められた複数の前記フォームのうちで、前記第１の出力手段により出力された前記フォームコードで識別される前記フォームで前記画面データを生成する、
付記１又は付記２に記載の電子レシートシステム。
［付記４］  販促レシートデータが表す複数の表示オブジェクトを予め定められたフォームで表した販促レシート画面を情報端末で表示させるための画面データを生成する生成手段と、
前記生成手段により生成された前記画面データを、利用者コードで識別される利用者が使用する前記情報端末へと出力する第２の出力手段と、
を具備する販促レシートサーバとともに電子レシートシステムを構成する決済装置であって、
予め定められた発行条件が成立する場合に、販促レシートの発行を決定する第１の決定手段と、
決済対象となる取引に関して電子レシートサービスを適用することを決定する第２の決定手段と、
前記第１の決定手段により前記販促レシートを発行することが決定されていて、かつ前記第２の決定手段により前記電子レシートサービスを適用することが決定されていない場合に、複数の前記表示オブジェクトを予め定められたフォームで表した販促レシート画像をプリントするようにプリンタを制御する制御手段と、
前記第１の決定手段により前記販促レシートを発行することが決定されていて、かつ前記第２の決定手段により前記電子レシートサービスを適用することが決定されている場合に、複数の前記表示オブジェクトを前記電子レシートサービスの利用者を識別する利用者コードとともに表した販促レシートデータを前記販促レシートサーバへ出力する第１の出力手段と、
を具備した決済装置。
［付記５］  予め定められた発行条件が成立する場合に、販促レシートの発行を決定する第１の決定手段と、
決済対象となる取引に関して電子レシートサービスを適用することを決定する第２の決定手段と、
前記第１の決定手段により前記販促レシートを発行することが決定されていて、かつ前記第２の決定手段により前記電子レシートサービスを適用することが決定されていない場合に、複数の表示オブジェクトを予め定められたフォームで表した販促レシート画像をプリントするようにプリンタを制御する制御手段と、
前記第１の決定手段により前記販促レシートを発行することが決定されていて、かつ前記第２の決定手段により前記電子レシートサービスを適用することが決定されている場合に、前記複数の表示オブジェクトを前記電子レシートサービスの利用者を識別する利用者コードとともに表した販促レシートデータを販促レシートサーバへ出力する第１の出力手段と、
を具備した決済装置とともに電子レシートシステムを構成するサーバであって、
前記第１の出力手段により出力された前記販促レシートデータが表す複数の前記表示オブジェクトを予め定められた前記フォームで表した販促レシート画面を情報端末で表示させるための画面データを生成する生成手段と、
前記生成手段により生成された前記画面データを、前記第１の出力手段により出力された前記利用者コードで識別される利用者が使用する前記情報端末へと出力する第２の出力手段と、
を具備する、
販促レシートサーバ。
［付記６］  販促レシートデータが表す複数の表示オブジェクトを予め定められたフォームで表した販促レシート画面を情報端末で表示させるための画面データを生成する生成手段と、
前記生成手段により生成された前記画面データを、利用者コードで識別される利用者が使用する前記情報端末へと出力する第２の出力手段と、
を具備する販促レシートサーバとともに電子レシートシステムを構成する決済装置を制御するコンピュータを、
予め定められた発行条件が成立する場合に、販促レシートの発行を決定する第１の決定手段と、
決済対象となる取引に関して電子レシートサービスを適用することを決定する第２の決定手段と、
前記第１の決定手段により前記販促レシートを発行することが決定されていて、かつ前記第２の決定手段により前記電子レシートサービスを適用することが決定されていない場合に、複数の前記表示オブジェクトを予め定められたフォームで表した販促レシート画像をプリントするようにプリンタを制御する制御手段と、
前記第１の決定手段により前記販促レシートを発行することが決定されていて、かつ前記第２の決定手段により前記電子レシートサービスを適用することが決定されている場合に、複数の前記表示オブジェクトを前記電子レシートサービスの利用者を識別する利用者コードとともに表した販促レシートデータを前記販促レシートサーバへ出力する第１の出力手段と、
して機能させるための情報処理プログラム。